(57)【要約】【課題】複数の魚を纏めて水揚げする際に、脊椎の折損や内出血を発生させることなく確実に鎮静化することできる魚の鎮静化装置を提供すること。【解決手段】魚が自重で通過するように傾斜配置された導電材料からなる魚滑落板８と、魚滑落板８の上方に位置する電極枠１６に垂設され、魚に接触して通電する複数の可撓性線状電極１４とを有し、魚が接触した線状電極１４と魚滑落板８との間に魚を介して通電し、魚を鎮静化する。【選択図】      図１
2019140957.tif 000002
【特許請求の範囲】
【請求項１】
魚が自重で通過するように傾斜配置された導電材料からなる魚滑落板と、前記魚滑落板の上方に位置する電極枠に垂設され、魚に接触して通電する複数の可撓性線状電極とを有し、魚が接触した前記線状電極と前記魚滑落板との間に魚を介して通電し、魚を鎮静化することを特徴とする魚の鎮静化装置。
【請求項２】
前記可撓性線状電極を前記魚滑落板との間隔を変化しうるように可動に配設し、魚の移動方向における前記魚滑落板の上流側に魚の三次元形状を計測するセンサを配設し、前記センサによる魚の三次元形状に基づいて前記可撓性線状電極の高さを制御するようにしたことを特徴とする請求項１に記載の魚の鎮静化装置。
【請求項３】
前記複数の可撓性線状電極を、魚の移動方向とこの移動方向に直交する方向の両方向にそれぞれ複数ずつ配置したことを特徴とする請求項１または請求項２に記載の魚の鎮静化装置。
【請求項４】
前記各可撓性線状電極は、前記電極枠に鉛直方向下方に垂設されている請求項１ないし請求項３のいずれか１項に記載の魚の鎮静化装置。
【請求項５】
船上に設置されている請求項１ないし請求項４のいずれか１項に記載の魚の鎮静化装置。
【発明の詳細な説明】
【技術分野】
【０００１】
本発明は、魚の鎮静化装置に係り、特に、水揚げした魚を暴れないように静かにさせる魚の鎮静化装置に関する。
【背景技術】
【０００２】
一般に、魚の水揚げの際に魚が暴れると魚の体内に乳酸が溜まり味が落ちるため、従来から、水揚げする魚を鎮静化するために電気ショックを利用して鎮静化をはかることが実行されている。
【０００３】
例えば、水中に設置した電極間に通電して、電極間に存在する魚類に電気ショックを与えて鎮静化する手法が提案されている。
【０００４】
一例として、海水中においては、海水が魚類より電気伝導度が高いので、単に電極間に通電しても海水中の魚には電流が流れないために、水中の魚に通電可能な電極機能を備えた網部に通電することによって網部の近くを遊泳する魚に電気ショックを付与して鎮静化させ、鎮静化状態にある魚を網部に取り込んで水中より取り上げることが提案されている（特許文献１参照）。
【０００５】
また、水揚げ用網をもって海中より脊椎を有する複数の魚を纏めて掬い揚げ、全部の魚が海中から空中に取り出された後に、水揚げ用網に設置された２極の電極に通電して全部の魚に当該魚の体表面に付着している海水を通して通電して、当該魚を脊椎が損傷しない程度に感電させて鎮静化させ、その後水揚げ用網から鎮静化状態の魚を次工程に供出することも提案されている（特許文献２参照）。
【先行技術文献】
【特許文献】
【０００６】
【特許文献１】特開２０１２−１６５７２０号公報
【特許文献２】特開２０１７−０１８０２８号公報
【発明の概要】
【発明が解決しようとする課題】
【０００７】
しかしながら、特許文献１に示す鎮静化方法は、網と直接接触していない海水中の魚に電気ショックを付与する方式であるために、魚に対する通電電力を過大に設定する必要があり、過大な電気ショックを受けた魚においては、脊椎が折損したり、折れた部位の近傍に内出血が発生する等の不都合があった。
【０００８】
また、特許文献２に示す鎮静水揚げ方法は、空中において魚に付着した水分とタモ網内で互いに接触し合う複数の魚自体を介して通電するものであるため、魚への通電の安定性に欠けるおそれがあった。
【０００９】
本発明は、このような点に鑑みてなされたものであり、複数の魚を纏めて水揚げする際に、脊椎の折損や内出血を発生させることなく確実に鎮静化することができる魚の鎮静化装置を提供することを目的とするものである。
【課題を解決するための手段】
【００１０】
前述した目的を達成するため、本発明に係る魚の鎮静化装置は、魚が自重で通過するように傾斜配置された導電材料からなる魚滑落板と、前記魚滑落板の上方に位置する電極枠に垂設され、魚に接触して通電する複数の可撓性線状電極とを有し、魚が接触した前記線状電極と前記魚滑落板との間に魚に付着している水分を介して通電し、魚を鎮静化する点にある。
【００１１】
そして、このような構成を採用したことにより、通電された電気ショックで魚は鎮静化するので、特に、魚体を傷つけることなく魚を鎮静化することができる。
【００１２】
本発明に係る他の魚の鎮静化装置は、請求項１に記載のものにおいて、前記可撓性線状電極を前記魚滑落板との間隔を変化しうるように可動に配設し、魚の移動方向における前記魚滑落板の上流側に魚の三次元形状を計測するセンサを配設し、前記センサによる魚の三次元形状に基づいて前記可撓性線状電極の高さを制御するようにした点にある。
【００１３】
そして、このような構成を採用したことにより、鎮静化される魚の形状に合わせて確実に魚を鎮静化することができる。しかも、魚の単尾ずつの通電により魚の骨折率を大幅に改善することができる。
【００１４】
本発明に係るさらに他の魚の鎮静化装置は、請求項１または請求項２に記載のものにおいて、前記複数の可撓性線状電極を、魚の移動方向とこの移動方向に直交する方向の両方向にそれぞれ複数ずつ配置した点にある。
【００１５】
そして、このような構成を採用したことにより、魚への通電をより確実に行うことができる。
【００１６】
本発明に係るさらに他の魚の鎮静化装置は、請求項１ないし請求項３のいずれか１項に記載のものにおいて、前記各可撓性線状電極は、前記電極枠に鉛直方向下方に垂設されている点にある。
【００１７】
そして、このような構成を採用したことにより、魚を電極に引っかけることなく確実に通電することができる。
【００１８】
本発明に係るさらに他の魚の鎮静化装置は、請求項１ないし請求項４のいずれか１項に記載のものにおいて、船上に設置されている点にある。
【００１９】
そして、このような構成を採用したことにより、水揚げした魚を直ちに鎮静化することができる。
【発明の効果】
【００２０】
本発明に係る魚の鎮静化装置によれば、水揚げした魚を連続的に確実に単尾ずつ鎮静化することができ、魚の骨折率を劇的に減少することができる。
【図面の簡単な説明】
【００２１】
【図１】本発明に係る魚の鎮静化装置の実施形態を示す概略側面図
【図２】図１の平面図
【図３】図１の可撓性線状電極の配置の一例を示す説明図
【発明を実施するための形態】
【００２２】
図１ないし図３は、本発明の実施形態を示すものであり、魚の鎮静化装置１は、一例として図示しない漁船の甲板に設置されている。
【００２３】
魚の鎮静化装置２は、魚を投入する上部開口６を備えたホッパ４を有している。このホッパ４の下方から魚の移動方向下流側にかけては、魚の移動方向下流側ほど低位に位置するように傾斜配置された平板状の魚滑落板８が配設されており、この魚滑落板８は、ステンレスのような導電材料により形成されている。この魚滑落板８は、一例として水平方向に対し約１７度の角度をもって配設されており、前記ホッパ４から投入された魚が自重により滑落されるようになっている。また、この魚滑落板８は、図示しない公知の駆動装置により傾斜角度を調整されるようになっている。さらに、前記魚滑落板８の両側には、魚の落下を防止する側板（図示せず）が立設されている。
【００２４】
魚の移動方向における前記魚滑落板８の下流側には、魚の鎮静化装置２により鎮静化された魚を投入する開口１２（図２）を備えた底板１０が配設されている。
【００２５】
前記魚滑落板８の上方には、複数本の可撓性線状電極１４，１４…を、縦横、すなわち魚の移動方向とこの移動方向に直交する方向の両方向にそれぞれ複数ずつ格子状に配置されるように支持する平板状の電極枠たる電極支持板１６が、前記魚滑落板８とほぼ平行に位置するように傾斜配置されている。この電極支持板１６は、前記魚滑落板８との間隔ならびに傾斜角度をそれぞれ調整可能となるように、図示しない公知の駆動装置に接続支持されている。
【００２６】
前記各可撓性線状電極１４は、ステンレスのような導電材料により可撓性を得られるような太さに形成されている。また、前記各可撓性線状電極１４は前記電極支持板１６に揺動自在に支持されており、したがって、特に魚が接触しない状態においては、鉛直方向に垂設されることになる。この状態において、各可撓性線状電極１４の先端と前記魚滑落板８とは間隔を有するように設定される。なお、前記各可撓性線状電極１４は前記電極支持板１６に揺動自在に支持されていることにより、魚滑落板８上を滑落する魚との接触時間を長くすることができ、魚を確実に鎮静化することができる。
【００２７】
前記各可撓性線状電極１４と、前記魚滑落板８との間には、図示しない電源ならびに電気制御装置により所望のときに通電されるようになっており、この通電のときの電圧、電流などは任意に設定できるようになっている。
【００２８】
前記ホッパ４と前記電極支持板１６との間には、ホッパ４の上部開口６から投入される魚の大きさ（三次元形状）を計測するセンサ１８が配設されており、このセンサ１８は、図示しないＬＳＩ（大規模集積回路）のような制御装置と接続されている。前記制御装置によるセンサ１８による魚の三次元形状に基づいて制御装置が前記各可撓性線状電極の高さ、すなわち電極支持板１６の高さを制御するようになっている。前記魚滑落板８の傾斜角度もセンサが検出した魚の大きさにより魚が滑落しやすく、かつ魚に付着した水分を介しての通電を安定的に行いやすくする角度に設定される。
【００２９】
また、前記ホッパ４に投入される魚は、同種のほぼ三次元形状の類似するものであることが、通電が安定的に行われるために好ましい。
【００３０】
つぎに、前述した実施形態の作用について説明する。
【００３１】
本実施形態の魚の鎮静化装置２が漁船の甲板に設置されている場合、漁獲された魚の魚種や大きさを事前に分別し、同一魚種でほぼ同じような大きさの魚をホッパ４の上部開口６から投入する。すると、センサ１８が魚体の大きさ（三次元形状）を計測して、この計測値を制御装置（図示せず）が演算し、魚体の大きさに応じた電極支持板１６の高さ、魚滑落板８の傾斜角度、魚に電気ショックを与えるための電気的数値の制御などを行う。ない、これらの調整は、１バッチの複数尾の魚ごとに行えばよい。
【００３２】
前述したようにして、電気制御装置をＯＮにした状態で同一魚種でほぼ同じような大きさの魚をホッパ４の上部開口６から投入すると、投入された各魚が魚滑落板８を滑落する。このとき、魚滑落板８上に魚滑落板８と間隔をもって対向している複数の格子状配置された可撓性線状電極１４のいずれか複数の先端に接触し、接触した可撓性線状電極１４を揺動および撓ませるようになる。このとき、接触している可撓性線状電極１４と魚滑落板８との間に魚の表面に付着している水分を介して電流が流れ、魚に電気ショックを与える。この結果、電気ショックを受けた各魚は失神し、鎮静化される。しかも鎮静化される魚は、１尾ずつ魚滑落板８上を滑落しているので、魚同士が絡み合ったりして生じる骨折を防止することができる。
【００３３】
鎮静化された各魚は、底板１０の開口１２を介して所望の収納場所に収納される。
【００３４】
このように本実施形態の魚の鎮静化装置によれば、漁獲された魚を確実に鎮静化することができ、しかも魚の骨折などを回避できるので、商品価値の高い魚を得ることができる。
【００３５】
なお、本発明は、このような構成に限定されるものではなく、必要に応じて種々の変更が可能である。本発明の魚の鎮静化装置は、漁船に設置するばかりでなく、陸上に設けることももちろん可能である。
【符号の説明】
【００３６】
２ 魚の鎮静化装置
４ホッパ
６ホッパ４の上部開口
８魚滑落板
１０底板
１２底板１０の開口
１４可撓性線状電極
１６電極支持板（電極枠）
【図１】
2019140957.tif 000003
【図２】
2019140957.tif 000004
【図３】
2019140957.tif 000005